(57)【特許請求の範囲】
【請求項１】
天板部の周縁から垂下されるスカート壁の下端に複数個の破断可能なブリッジを介してＴＥバンドが連結されると共に、そのスカート壁の内面には、壜口の外周に刻設された雄螺子部に螺合される雌螺子部が形成され、かつその雌螺子部の上端によって持上げられ開栓されるパッキンが前記壜口内に密嵌されるようにしたピルファープルーフキャップにおいて、前記雌螺子部の上端のほぼ直径方向反対側領域に設けた前記ブリッジの強度をその他のブリッジの強度よりも弱く設定してなることを特徴とするピルファープルーフキャップ。
【請求項２】
前記ブリッジの強度を弱く設定する領域が前記雌螺子部の上端から円周方向に９０°〜２７０°の範囲であることを特徴とする請求項１に記載のピルファープルーフキャップ。
【発明の詳細な説明】
【０００１】
【発明の属する技術分野】
この発明は、飲料用壜等の容器の口部に被嵌される合成樹脂製のピルファープルーフキャップに関する。
【０００２】
【従来の技術】
従来、ピルファープルーフキャップとして、天板部の周縁から垂下されるスカート壁の下端に破断可能なブリッジを介してＴＥ（タンパーエピデンス）バンドを連結し、そのスカート壁の内面に、壜口の雄螺子部に螺合される雌螺子部を形成し、その雌螺子部の上端によって持上げられ開栓されるパッキンを壜口に密嵌させるようにしたものが公知である。
【０００３】
このようなピルファープルーフキャップでは、開栓時に、壜口の周部に形成した突縁部にＴＥバンドが抜け止め状に係止されることにより、ブリッジが破断されてからパッキンが持上げられるため、不用意な開栓や悪戯によるちょい回わし等によってブリッジから分離されたＴＥバンドを外部から目視で容易に確認することができる。
【０００４】
【発明が解決しようとする課題】
しかるに、場合によっては、ちょい回わし等によって、一部のブリッジのみが破断されたときに、その反動で破断箇所上方のキャップのネジ部によりパッキンが、衝撃的にごじ開けられるように持上げられ、ＴＥバンドがスカート壁と連結されたままで気密洩れが発生してしまうことがあった。
【０００５】
このような場合には、キャップを元に戻せば外観上は以前と見分けが付かない状態となるため、ピルファープルーフとしての役目が果たせなくなる。このような不具合は壜口の雄螺子部とキャップの雌螺子部とのバックラッシュ等に起因して概ね以下のような過程で発生することが多い。すなわち、図８（Ａ）〜（Ｃ）に示すように、開栓動作時に各ブリッジに均等に引張り力が作用しキャップａの雌螺子部ｂの上端ｃがパッキンｄのフランジ部ｅと当接する状態となり、その直下に位置するブリッジｆが他のブリッジｇより早く破断されたときにその反動で、ＴＥバンドｋの係止部の突張りにより生じた両ネジ間のクリアランスｉの分だけ衝撃的にパッキンｄが押し上げられ、局部的にごじ開けられ、その他のブリッジｇには破断に要するだけの応力が充分に作用せず、その一部が破断されずにそのまま残ってしまい、図８（Ｃ）の様にパッキンｄが斜め状態にこじ開けられる結果気密もれを起こすことがあった。また、開栓動作時にブリッジが破断されないまま引き伸ばされ、ブリッジが破断される前にパッキンが持ち上げられてしまうこともあった。なお、図８（Ｂ）におけるｈはパッキンｄのフランジ部ｅと対応するネジとの間隔、Ｌはネジのリードを示す。
【０００６】
本発明はこのような実情に鑑みてなされ、各ブリッジが完全に破断されてしまう前に気密洩れが生じるような不具合を発生させないようにしたピルファープルーフキャップを提供することを目的としている。特に、開栓時キャップの雌螺子部の上端直下のブリッジ破断による反動によりパッキンが衝撃的に局部的に持上げられ斜め状態にこじ開けられて気密もれを生じることを防止したピルファープルーフキャップの提供を目的としている。
【０００７】
【課題を解決するたの手段】
本発明は上述の課題を解決するための手段を以下のように構成している。
すなわち、請求項１に記載の発明では、天板部の周縁から垂下されるスカート壁の下端に複数個の破断可能なブリッジを介してＴＥバンドが連結されると共に、そのスカート壁の内面には、壜口の外周に刻設された雄螺子部に螺合される雌螺子部が形成され、かつその雌螺子部の上端によって持上げられ開栓されるパッキンが前記壜口内に密嵌されるようにしたピルファープルーフキャップにおいて、前記雌螺子部の上端のほぼ直径方向反対側領域に設けた前記ブリッジの強度をその他のブリッジの強度よりも弱く設定してなることを特徴としている。
【０００８】
請求項２に記載の発明では、請求項１に記載の前記ブリッジの強度を弱く設定する領域が前記雌螺子部の上端から円周方向に９０°〜２７０°の範囲であることを特徴としている。
【０００９】
開栓動作時には各ブリッジに均等に引張り力が作用するが、パッキンと当接する雌螺子部の上端の直下のブリッジの強度がたまたま弱く早く破断した時には前述した通り、破断時の反動でパッキンが局部的に持ち上げられ、気密もれを生じることがある。これを避けるために、その反対側領域のブリッジの強度を予め弱く設定しておくことにより、開栓時に、その反対側領域のブリッジを確実に破断させるが、この破断においては破断してもその反動でパッキンを持上げ、こじ開けることはない。その理由は（図７（Ａ）〜（Ｃ）参照）、反対側領域では、パッキンのフランジと対応するネジとの間隙ｈはネジのリードＬの1/2 であり、キャップと壜口のネジ間のクリアランスｉはｈよりも小さいから、破断しても、ネジ同志の衝突により停止するため、その衝撃でパッキンを持上げることはないからである。
【００１０】
【発明の実施の形態】
以下に本発明のピルファープルーフキャップの実施形態を図面に基づいて詳細に説明する。
図１はピルファープルーフキャップ（以下キャップ）１の底面図、図２はその縦断面図、図３は閉栓状態の壜口の縦断面図で、これらの図において２は天板部、３はその天板部２の周縁から垂下されたスカート壁、４はスカート壁３の下端に形成される破断可能なブリッジ、５はそのブリッジ４を介してスカート壁３に接続されたＴＥバンド、６はＴＥバンド５の下端から内方に折り返された抜け止め用の係止片で、例えば図２のように連続蛇腹状に形成されて壜口１１の下部外周に突設された掛止突縁１２に下方から係止し、開栓時にブリッジ４が破断されるときにそのＴＥバンド５を抜け止め状に保持する。
【００１１】
上述のスカート壁３の内面には、壜口１１の外周に形成された雄螺子部１３に螺合する雌螺子部３１が形成され、かつその雌螺子部３１の上端３１１によって持上げられ開栓されるパッキン１４が壜口１１に密嵌されている。そのパッキン１４は気密性を向上させるために壜口１１の口部内に密嵌挿入される所定長さの中足１５を有し、かつ、その天面１６の外周縁にはフランジ部１７が突設形成され、開栓時に、キャップ１の雌螺子部３１の上端３１１がそのフランジ部１７に下方から当接してパッキン１４が持ち上げられるが、全てのブリッジ４が破断されるまで、その中足１５によって気密性が保持され、全ブリッジ４が破断されると、パッキン１４が完全に持上げ開栓されるようになっている。
【００１２】
上述の開栓時における局部的なパッキン１４の持上げによる気密もれの発生を防ぐために、本実施形態では、パッキン１４のフランジ部１７と当接する雌螺子部３１の上端３１１のほぼ直径方向反対側領域に設けたブリッジ４２，４１，４２（図４参照）の断面積を他のブリッジ４，…よりも小さく設定し、その引張強度を弱く設定している。なお、引張強度は中央のブリッジ４１を両側のブリッジ４２，４２より弱く最も引張強度を小さく設定している。
【００１３】
開栓時には、キャップ１の雌螺子部３１の上端３１１がパッキン１４のフランジ部１７に当接してこれを押し上げるが、本実施形態では、上述のように、その直径方向反対側のブリッジ４１，４２の引張強度を低く設定していることから、まず、その弱いブリッジ４１から破断され（図５（Ａ）参照）、次いでその両側のブリッジ４２が破断され、さらなる開栓動作で、その他の全ブリッジ４が確実に破断されてからパッキン１４が持上げられ開栓されるようにしている（図５（Ｂ）参照）。
【００１４】
上述のように、キャップ１の雌螺子部３１の上端３１１とほぼ直径方向反対側のブリッジ４２，４１の強度を予め他のブリッジ４よりも弱くしてあるために、閉栓時には先ずこの弱いブリッジ４１から順次、破断してゆくが、破断時の反動は両ネジの係合により係止され、パッキン１４上には及ばないため、このブリッジ４１の破断による反動でパッキン１４が局部的に押上げられ斜め状態にこじ開けられることはなく、気密もれの防止を図ることができる。又、このような構成により、ブリッジ４全体が確実に破断されやすくなり、全てのブリッジ４が完全に破断する前にパッキン１４が持ち上げられて気密洩れが発生するような不具合が発生するのを効果的に防ぐことができるのである。
【００１５】
このような引張強度を低下させる領域は、設計条件に応じて適宜に設定されてよく、例えば雌螺子部３１の上端３１１から円周方向に概ね９０°〜２７０°の範囲内で、上述のように、段階的に順次ブリッジ４の横断面を小さく設定した場合には、全ブリッジ４を確実に破断しやすくなることが確認されている。また、特に、雌螺子部３１の上端３１１の直径方向反対側に位置するブリッジ４１のみを特に強度的に弱く設定してもよい（図６参照）。
【００１６】
【発明の効果】
以上説明したように、本発明のピルファープルーフキャップによれば、キャップの雌螺子部の上端から円周方向に所定角度位置にあるブリッジの強度を予め弱く設定しているので、ブリッジ破断時の反動によるパッキンの局部的持上げを防止し、開栓時に全てのブリッジが確実に破断されやすくなり、全てのブリッジが完全に破断される前にパッキンが持ち上げられて気密洩れが発生するような不具合の発生を効果的に防ぐことができる。又、いたすら等によるちょい回しによりブリッジが完全に破断する前に気密もれを生じるといった問題も確実に回避できる効果を有する。
【図面の簡単な説明】
【図１】本発明のピルファープルーフキャップの一実施例を示す底面図である。
【図２】同縦断面図である。
【図３】同閉栓状態の壜口の断面図である。
【図４】同各ブリッジの横断平面図である。
【図５】（Ａ），（Ｂ）は同開栓動作の説明図で、（Ａ）は同強度の弱いブリッジが破断されたときの壜口断面図、（Ｂ）は全ブリッジが破断されて後開栓されたときの壜口の断面図である。
【図６】同異なる実施形態における各ブリッジの横断平面図である。
【図７】（Ａ）〜（Ｃ）は同開栓動作の参考説明図である。
【図８】（Ａ）〜（Ｃ）は従来のピルファープルーフキャップの開栓動作の説明図である。
【符号の説明】
１…ピルファープルーフキャップ、２…天板部、３…スカート壁、３１…雌螺子部、３１１…上端、４，４１，４２…ブリッジ、５…ＴＥバンド、１１…壜口、１３…雄螺子部、１４…パッキン。
【図１】
0003771656.tif 000002
【図２】
0003771656.tif 000003
【図３】
0003771656.tif 000004
【図４】
0003771656.tif 000005
【図５】
0003771656.tif 000006
【図６】
0003771656.tif 000007
【図７】
0003771656.tif 000008
【図８】
0003771656.tif 000009